(57)【要約】【課題】液拡散性／吸収性、吸収体保型性およびフィット性／柔軟性を向上しかつ工程の簡素化を期したエンボス吸収体およびこれを用いた吸収性物品を提供する。【解決手段】吸収体の体液吸収／拡散を大きく必要とする部分に密なエンボスを掛け、その他の部分には疎なエンボスを掛けて、該エンボスが全体として連続模様になっていることを特徴とする吸収コア。【選択図】　図２
2004016373.tif 000002
【特許請求の範囲】
【請求項１】
吸収体の体液吸収／拡散を大きく必要とする部分に密なエンボスを掛け、同じくその他の部分には疎なエンボスを掛けて、該エンボスが全体として連続模様になっていることを特徴とする吸収コア。
【請求項２】
吸収体の中央付近に密なエンボスを掛け、その前後部分には疎なエンボスを掛けている請求項１記載の吸収コア。
【請求項３】
吸収体の中央付近が股部相当部であり、前後部分が前・後身頃相当部である請求項１または２記載の吸収コア。
【請求項４】
密なエンボスが長手方向のエンボスピッチを疎なエンボスに対して小さくしたものであり、疎なエンボスが長手方向のエンボスピッチを密なエンボスに対して大きくしたものである請求項１から３までのいずれか１項記載の吸収コア。
【請求項５】
エンボスが巾方向にはエンボスピッチが等間隔に備えられ、長手方向にはエンボスピッチが２段階以上の大小の間隔に設定されている請求項１から４までのいずれか１項記載の吸収コア。
【請求項６】
エンボスピッチが巾方向にも２段階以上の大小の間隔に設定されている請求項１から４までのいずれか１項記載の吸収コア。
【請求項７】
エンボスパターンがエイコン（どんぐり）型、格子型、ダイヤモンド型、ハニカム型など連続模様を形成することができるパターンである請求項１から６までのいずれか１項記載の吸収コア。
【請求項８】
吸収体がその身体側表面を覆うティシュ、不繊布等のキャリアシートを有している請求項１から７までのいずれか１項記載の吸収コア。
【請求項９】
請求項１から８までのいずれか１項記載の吸収コアを用いた吸収性物品。
【請求項１０】
所望のエンボスが外周に彫刻されたエンボスロールとその受けロールもしくはベルトからなる吸収コアのエンボス装置。
【請求項１１】
所望のエンボスが外周に彫刻されたエンボスロールと受けロール或いはベルトの間に位相を一致させた吸収体を通過させて連続模様のエンボスを施す請求項１から８までのいずれか１項記載の吸収コアの製造方法。
【請求項１２】
１つのエンボスロールで連続模様のエンボスを施す請求項１１記載の吸収コアの製造方法。
【請求項１３】
請求項１１または１２記載の吸収コアの製造方法に用いられるエンボスロール。
【発明の詳細な説明】
【０００１】
【発明の属する技術分野】
本発明はエンボスされた吸収コアおよび該吸収コアを備えた使い捨て吸収性物品およびその製造方法並びにそれに用いられるエンボスロールに関する。
【０００２】
【従来の技術】
使い捨ておむつ等の吸収体には液拡散／吸収性の向上及び保型性の点からエンボスを入れているが、全体に単一なエンボスでは、排泄位置に応じた充分な吸収が得られず、強く入れると吸収体が固くなり肌触り／フィット性が悪くなり、弱いと十分な吸収効果が得られない。
体形に対してフィット性を改善させる為にライン状のエンボスを付与することも行なわれてはいるが、複数のエンボスを組み合わせるなど工程が複雑となっていた。
【０００３】
【発明が解決すべき課題】
本発明はこのような問題を解消するためになされたもので、排泄位置に応じた十分な吸収が得られかつ肌触り／フィット性も良好な吸収コア、これを備えた使い捨ておむつおよびその製造方法、それに用いるエンボスロールを提供するものである。
【０００４】
【課題を解決するための手段】
本発明は吸収体の中央付近（股部）の体液吸収／拡散を大きく必要とする部分に密なエンボスを掛け、その前後部分（前・後身頃）では吸収体長手方向のエンボスピッチを大きくすることで疎なエンボスが掛けられており、中央と前後のエンボスが連続模様になっていることを特徴とする吸収コア及びそれを用いた吸収体物品、また１つのエンボスロールで上記連続模様のエンボスを行う製造方法およびそれに用いられるエンボスロール、吸収体の位置を検知して、個々にエンボスを付与する装置に係わるものである。
【０００５】
本発明は吸収体の身体側および／または衣料側の体液吸収／拡散を大きく必要とする部分に密なエンボスを掛け、同じく身体側および／または衣料側のその他の部分には疎なエンボスを掛けて、身体側および／または衣料側の面で該エンボスが全体として連続模様になっていることを特徴とする吸収コアおよびこれを用いた吸収性物品に関する。
【０００６】
本発明は吸収体の中央付近に密なエンボスを掛け、その前後部分には疎なエンボスを掛けている吸収コアおよびこれを用いた吸収性物品に関する。
【０００７】
本発明は吸収体の中央付近が股部相当部であり、前後部分が前・後身頃相当部である吸収コアおよびこれを用いた吸収性物品に関する。
【０００８】
本発明は密なエンボスが長手方向のエンボスピッチを疎なエンボスに対して小さくしたものであり、疎なエンボスが長手方向のエンボスピッチを密なエンボスに対して大きくしたものである吸収コアおよびこれを用いた吸収性物品に関する。
【０００９】
本発明はエンボスが巾方向にはエンボスピッチが等間隔に備えられ、長手方向にはエンボスピッチが２段階以上の大小の間隔に設定されている吸収コアおよびこれを用いた吸収性物品に関する。
【００１０】
本発明はエンボスピッチが巾方向にも２段階以上の大小の間隔に設定されている吸収コアおよびこれを用いた吸収性物品に関する。
更に本発明は吸収体がその身体側表面を覆うティシュ、不繊布等のキャリアシートを有している吸収コアに関する。
【００１１】
本発明はエンボスパターンがエイコン（どんぐり）型、格子型、ダイヤモンド型、ハニカム型など連続模様を形成することができるパターンである吸収コアおよびこれを用いた吸収性物品に関する。
【００１２】
更に又本発明は所望のエンボスが外周に彫刻されたエンボスロールと受けロール或いはベルトからなるエンボス装置およびこのエンボス装置を用いてエンボスロールと受けロールもしくはベルトとの間に位相を一致させた吸収体を通過させて連続模様のエンボスを施す吸収コアの製造方法に関する。
【００１３】
更に又本発明は１つのエンボスロールで連続模様のエンボスを施す吸収コアの製造方法に関する。
【００１４】
又本発明は前記の吸収コアを製造するためにこれにエンボスを施すためのエンボスロールに関する。
【００１５】
本発明で言う吸収性物品とはテープタイプ、パンツタイプ、尿取りパッド、失禁パッド、生理用品等を総称する。
【００１６】
【発明の効果】
（１）本発明によれば吸収コアにおいて吸収体の体液吸収／拡散を大きく必要とする部分に密なエンボスを掛け、その他の部分には疎なエンボスを掛けて、全体として該エンボスが連続模様となっているので、吸収コアの液拡散性／液吸収性が向上する。
（２）実質的にコアの全域にエンボスを掛けているので吸収体の保型性が向上する。
（３）吸収コアの中央部域にエンボスを密に掛け、前後部域にエンボスを疎に掛けるので、吸収コア全体としてのフィット性／柔軟性は向上改善される。
（４）疎密のエンボスが全体として連続模様となっているので、１ヶのエンボスロールによる１パス処理で吸収コアのエンボス加工が実施できるので、製造工程が簡略化できる。
【００１７】
【実施例】
以下に本発明の実施例を示すが、これは例示の目的で掲げたもので、これによって本発明を限定するものではない。
【００１８】
［実施例１］
図１はエンボスされた吸収コアを備えたテープ止めタイプの使い捨て吸収性物品の外観図を示し、吸収体（１）は左右の立体ギャザー（２）（２）間に保持されている。
（３）はバックシート、（４）はトップシート、（５）はレッグギャザー、（６）はテープ止め用のテープで吸収性物品の背側端部両側のトップシート面に取付けられ、このテープは着用時に腹側端部バックシート中央に取付けられたフロンタルテープに結合しうるようになっている。
吸収体（１）はその身体側表面に全体として連続模様となっているエンボスが掛けられているが、中央部分が密なエンボス（７）、前後部分が疎なエンボス（８）となっている。
【００１９】
［実施例２］
図２は図１におけるエイコン（どんぐり）型の連続模様のエンボスパターンを例示したもので中央部（股部）は密なエンボス（７）となっており、端部（前部）および端部（後部）は夫々疎なエンボス（８−１）（８−２）となっている。上記の吸収体はフラフパルプ、ＳＡＰ（高吸収性ポリマー）、吸収体を包みまたは吸収体をサンドイッチ構造としているキャリアシート（ティシュ、不繊布）、合成繊維などから構成されている。
エンボス（７）（８）の体液の吸収／拡散を大きく必要とする部分（体液排泄箇所近傍）には密なエンボス（７）（ピッチが２０ｍｍ以下、好ましくは５〜１５ｍｍであり面積率が１０％以上、好ましくは１５〜３０％）を施し、その周囲の主に拡散／貯蔵を目的とする部分には疎なエンボス（８）（ピッチが２０ｍｍ以上、好ましくは３０〜８０ｍｍであり、面積率は１０％以下好ましくは３〜５％）を施すことにより、吸収体の吸収性能および柔軟性、保型性を改善することができる。
密エンボスと疎エンボスの間には連続的にピッチ、面積率を変動させた中間体を設けてもよい。
吸収体長手方向だけでなく場合によっては幅方向にも応用可能である。
密なエンボス中央部は、男性では吸収体長手方向前寄り、具体的には吸収体全長の１／１０〜１／３程度中央から前寄りが好ましい。女性ではほぼ中央部に位置する。
【００２０】
［実施例３］
図３はエンボスパターンの別の例示図であり、格子型の連続模様を示す。
格子型のエンボスパターンは吸収体幅方向には等間隔の格子型エンボスの長手方向ラインであり、吸収体長手方向では中央部では密間隔の格子型エンボスの幅方向ラインを有する密なエンボス（７）であり、前後両側では疎間隔の格子型エンボスの幅方向ラインを有する疎なエンボス（８−１）（８−２）となっている。
尚疎なエンボス（８−１）および（８−２）と密なエンボス（７）との間には格子型エンボスの幅方向ラインを有しない更に疎なエンボス域（９−１）（９−２）が設けられている。
表１に密なエンボスおよび疎なエンボスのピッチ、面積率等を例示する。
【００２１】
【表１】
2004016373.tif 000003
【００２２】
［実施例４］
図４は吸収コアの製造におけるエンボス工程および加工工程を示したものである。
エンボス工程では好ましいエンボスが外周に彫刻されたエンボスロール（１０）と受けロール（１１）（受けロールは表面に彫刻されていてもよい）或いはベルト（１２）の間に位相を一致させた吸収体（１）（吸収体はキャリアシート等で包まれていてもよい）を通過させて前出の連続エンボスが施される。
次いで加工工程においてエンボス加工された吸収体（１）に、表面材（１３）と裏面材（１４）とを積層してパッドやおむつへ加工され、製品とする。
【００２３】
［実施例５］
吸収体に適用されるエンボスパターンはエイコン（どんぐり）型、格子型、ダイヤモンド型、ハニカム型など連続模様を形成することができるパターンに限られる。ドットなどエンボスに途切れがあるものはその部分で液拡散が妨げられるので好ましくない。また、それほど保型性には効果が見られない。
図５はエイコン（どんぐり）型の連続模様のエンボスパターンを示し、中央の密なエンボス（７）と前後の疎密度を異にする疎なエンボス（８−１）（８−２）の３段階エンボス域を有している。
【００２４】
図６は格子型の連続模様のエンボスパターンを示し中央の密なエンボス（７）と前後両端の疎なエンボス（８−１）（８−２）と中間の疎密中間のエンボス（７／８）の５段階エンボス域を有している。
【００２５】
図７はダイヤモンド型の連続模様のエンボスパターンを示し、左側の平行直線群のエンボス線を右側の平行直線群エンボス線がバイヤス交差してそれらの間にダイヤモンド型の格子部を形成している例である。
上記の直線群の平行間隔の疎密を調節することにより中央部に密なエンボス部（７）を、その前後に疎なエンボス部（８−１）（８−２）を形成すると共に前後端部には一方の直線群のみよりなる超疎エンボス部（８／８）を形成している。尚上下の超疎部（８／８）（８／８）間にはエンボスを有しない非エンボス部（８／８／８）が介在している。
【図面の簡単な説明】
【図１】エンボスされた吸収コアを備えたテープ止めタイプの使い捨ておむつの外観図。
【図２】エンボスパターンの例示図。
【図３】エンボスパターンの他の例示図。
【図４】吸収コアの製造工程を示す例示図。
【図５】エイコン型の連続模様のエンボスパターン図。
【図６】格子型の連続模様のエンボスパアターン図。
【図７】ダイヤモンド型の連続模様のエンボスパターン図。
【符号の説明】
１…吸収体
２…立体ギャザー
３…バックシート
４…トップシート
５…レッグギャザー
６…テープ止め用のテープ
７…密なエンボス
８…疎なエンボス
８−１…前部の疎なエンボス
８−２…後部の疎なエンボス
７／８…疎密中間のエンボス
８／８…超疎エンボス
８／８／８…非エンボス部
９−１，９−２…更に疎なエンボス
１０…エンボスロール
１１…受けロール
１２…受けベルト
１３…表面材
１４…裏面材
【図１】
2004016373.tif 000004
【図２】
2004016373.tif 000005
【図３】
2004016373.tif 000006
【図４】
2004016373.tif 000007
【図５】
2004016373.tif 000008
【図６】
2004016373.tif 000009
【図７】
2004016373.tif 000010